(57)【特許請求の範囲】
【請求項１】
ケースと、該ケース内に設置された複数の鍵からなる鍵盤と、を有する本体部と、
前記ケースに対して前記鍵盤の上方を閉じる閉位置と該鍵盤の上方を開く開位置との間で移動可能となるように取り付けられた板状の蓋体と、
前記ケースにおける前記鍵盤の側部に配置した側壁部と、それに対向する前記蓋体における前記鍵の配列方向の端部とを連結してなる連結機構と、を備えた鍵盤楽器の蓋体開閉構造であって、
前記連結機構は、
前記側壁部と前記蓋体の前記端部との間に連結された互いの長さが異なる長尺板状の第１連結具と第２連結具とを備え、
前記第１連結具は、その一端が前記側壁部に設けられた第１軸支部に軸支されており、他端が前記蓋体の前記端部に設けられた第２軸支部に軸支されており、
前記第２連結具は、その一端が前記側壁部に設けられた第３軸支部に軸支されており、他端が前記蓋体の前記端部に設けられた第４軸支部に軸支されており、
前記第１軸支部及び前記第３軸支部は、前記本体部に対する相対位置が固定された固定側の回動支点であり、前記第２軸支部及び前記第４軸支部は、前記本体部に対して相対的に変位可能な移動側の回動支点であり、
前記蓋体が前記閉位置から前記開位置へ移動する間に、前記第２軸支部と前記第４軸支部の軌跡が互いに交差し、かつ、前記蓋体の後端部が前記本体部の後方から前方へ移動するように構成した
ことを特徴する鍵盤楽器の蓋体開閉構造。
【請求項２】
前記第１軸支部と前記第３軸支部は、前記本体部に対する前後方向の位置を互いに異ならせて配置されており、かつ、前記第２軸支部と前記第４軸支部は、前記蓋体の面に沿ってその前後方向の位置を互いに異ならせて配置されている
ことを特徴とする請求項１に記載の鍵盤楽器の蓋体開閉構造。
【請求項３】
前記蓋体が前記開位置にある状態で、前記第１連結具と前記第２連結具の少なくともいずれかに当接してその前方への移動を停止させるストッパ部を備え、
前記開位置における前記蓋体は、その後端部が前端部よりも前記本体部の前側に位置するように傾斜した状態で、該本体部の上面に立設される
ことを特徴とする請求項１又は２に記載の鍵盤楽器の蓋体開閉構造。
【請求項４】
前記本体部の上面側における前記鍵盤の後側に配置されたパネル面と、
前記蓋体の内面に設けた軸部で回転自在に支持されて、前記蓋体が前記閉位置にある状態で前記パネル面に対向するように配設された板状の譜面受けと、を備え、
前記蓋体が前記閉位置へ移動する際に、前記譜面受けの自由端が前記パネル面に当接して該譜面受けが前記蓋体の内面に沿う位置へ畳まれるようにした
ことを特徴とする請求項３に記載の鍵盤楽器の蓋体開閉構造。
【請求項５】
前記第１連結具と前記第２連結具の少なくともいずれかと前記本体部又は前記蓋体との間に、前記蓋体を開位置へ移動する方向に付勢するような付勢力を生じる弾性部材を取り付けた
ことを特徴とする請求項１乃至４のいずれか１項に記載の鍵盤楽器の蓋体開閉構造。
【請求項６】
前記第１連結具又は前記第２連結具の少なくともいずれかと前記本体部又は前記蓋体との間に、前記本体部又は前記蓋体と前記第１連結具又は前記第２連結具との相対的な回動に対する抵抗力を発生する抵抗力発生部を設けた
ことを特徴とする請求項１乃至５のいずれか１項に記載の鍵盤楽器の蓋体開閉構造。
【発明の詳細な説明】
【技術分野】
【０００１】
本発明は、電子オルガンや電子ピアノをはじめとする各種の鍵盤楽器において、ケース内に設置した鍵盤の上面側を開閉するための蓋体と、ケースに対して当該蓋体を移動可能に連結してなる連結機構とを備えた鍵盤楽器の蓋体開閉構造に関する。
【背景技術】
【０００２】
電子オルガンや電子ピアノをはじめとする各種の鍵盤楽器には、ケース内に設置した鍵盤の上面側を開閉するための鍵盤蓋（蓋体）を備えたものがある。このような鍵盤蓋を開閉する開閉機構の従来技術として、例えば、特許文献１に示す開閉機構がある。特許文献１に記載の開閉機構は、楽器本体と鍵盤蓋の後端部付近とをリンク部材によってそれぞれ回動自在に連結し、鍵盤蓋のそのリンク部材を軸支する位置から所定距離離れた位置にガイド当接部を設け、鍵盤蓋の開閉時にそのガイド当接部を楽器本体内に固設されたガイド部材の少なくとも２つの異なる湾曲面からなる第１，第２のガイド部に常に接触させながら移動させるように構成したものである。この開閉機構によれば、鍵盤蓋と楽器本体の天板の前端との隙間を最小限にでき、鍵盤蓋の後部を楽器本体内に収納するために必要な回動スペースも少なくすることができる。
【０００３】
しかしながら、特許文献１に記載の鍵盤蓋の開閉構造では、楽器本体内に蓋体の後端部を収納するためのスペースを確保する必要がある。そのため、楽器本体の小型化の妨げになるおそれがあった。また、楽器本体内に蓋体を収容するように構成したことで、蓋体と本体部との間に設けた連結機構の部品点数の増加、構造の煩雑化などにつながるおそれがあった。
【０００４】
これに対して、鍵盤蓋の開閉構造の他の構成例として、特許文献２に示すように、一枚板状の鍵盤蓋の後端部が楽器本体に対して回動自在に取り付けられた構成のものがある。この回動式の鍵盤蓋は、一枚の板状の部材なので比較的安価に製造できるうえ、開蓋時に楽器本体上に立設されるので、楽器本体内に鍵盤蓋を収納するためのスペースを確保する必要がない。
【０００５】
この鍵盤蓋の開閉構造では、一枚板状の鍵盤蓋がその後端部を支点として先端側が上下方向に回動するようになっている。しかしながらこの構造では、開閉時の蓋体が回動する領域（回動する蓋体の最大径寸法）が大きいことで、蓋体の開閉時にその一部（先端側や後端側）が本体部の後側に突出する（はみ出る）場合がある。また、蓋体の一部が本体部よりも後側に突出することを防止するためには、蓋体の回動支点と本体部の後端部との間の幅寸法（奥行寸法）を大きな寸法に設定する必要がある。これにより、本体部の後方に開閉時の蓋体用のスペースが必要になるなどして、開閉時の蓋体を含む鍵盤楽器の省スペース化の妨げとなるおそれがあった。また、従来構造では、蓋体の開閉時に重心の移動量が大きいことで、蓋体の開閉操作が行い難いという問題もあった。
【先行技術文献】
【特許文献】
【０００６】
【特許文献１】特公平７−３８１０６号公報
【特許文献２】特公平７−４１０３３号公報
【発明の概要】
【発明が解決しようとする課題】
【０００７】
本発明は上述の点に鑑みてなされたものであり、その目的は、開閉時の蓋体の回動領域を小さな寸法に抑えることで、開閉時の蓋体を含めた鍵盤楽器の省スペース化を図ることができ、かつ、蓋体の開閉操作が行い易くすることができる鍵盤楽器の蓋体開閉構造を提供することにある。
【課題を解決するための手段】
【０００８】
上記課題を解決するための本発明は、ケース（１０）と、該ケース（１０）内に設置された複数の鍵（５ａ，５ｂ）からなる鍵盤（５）と、を有する本体部（２）と、ケース（１０）に対して鍵盤（５）の上方を閉じる閉位置と該鍵盤（５）の上方を開く開位置との間で移動可能となるように取り付けられた板状の蓋体（２０）と、ケース（１０）における鍵盤（５）の側部に配置した側壁部（６）と、それに対向する蓋体（２０）における前記鍵（５ａ，５ｂ）の配列方向の端部（２０ｄ）とを連結してなる連結機構（３０）と、を備えた鍵盤楽器の蓋体開閉構造であって、連結機構（３０）は、側壁部（６）と蓋体（２０）の上記端部（２０ｄ）との間に連結された互いの長さが異なる長尺板状の第１連結具（３１）と第２連結具（４１）とを備え、第１連結具（３１）は、その一端（３１ａ）が側壁部（６）に設けられた第１軸支部（３３）に軸支されており、他端（３１ｂ）が蓋体（２０）の上記端部（２０ｄ）に設けられた第２軸支部（３５）に軸支されており、第２連結具（４１）は、その一端（４１ａ）が側壁部（６）に設けられた第３軸支部（４３）に軸支されており、他端（４１ｂ）が蓋体（２０）の上記端部（２０ｄ）に設けられた第４軸支部（４５）に軸支されており、第１軸支部（３３）及び第３軸支部（４３）は、本体部（２）に対する相対位置が固定された固定側の回動支点であり、第２軸支部（３５）及び第４軸支部（４５）は、本体部（２）に対して相対的に変位可能な移動側の回動支点としている。そのうえで、蓋体（２０）が閉位置から開位置へ移動する間に、第２軸支部（３５）と第４軸支部（４５）の軌跡が互いに交差し、かつ、蓋体（２０）の後端部（２０ａ）が本体部（２）の後方から前方へ移動するように構成したことを特徴とする。あるいは、蓋体（２０）が閉位置から開位置へ移動する間に、本体部（２）に対する第２軸支部（３５）と第４軸支部（４５）の上下又は前後の少なくともいずれかの位置関係が逆転し、かつ、蓋体（２０）の後端部（２０ａ）が本体部（２）の後方から前方へ移動するように構成したことを特徴とする。あるいは、蓋体（２０）が閉位置から開位置へ移動する間に、第１連結具（３１）の両端それぞれに設けた第１軸支部（３３）と第２軸支部（３５）を結ぶ直線と、第２連結具（４１）の両端それぞれに設けた第３軸支部（４３）と第４軸支部（４５）を結ぶ直線とが常に非平行な状態であり、かつ、蓋体（２０）の後端部（２０ａ）が本体部（２）の後方から前方へ移動するように構成したことを特徴とする。
【０００９】
本発明にかかる鍵盤楽器の蓋体開閉構造によれば、蓋体を本体部に対して２つの連結具による４点支持構造（いわゆる回り対偶支持による４節リンク支持構造）としたことで、本体部の上方の狭い範囲内で板状の蓋体の面を回動させて、ケースの上面側を開閉することが可能となる。これにより、従来構造に比べて、蓋体の回動領域を小さな寸法とすることができるので、開閉時に蓋体の一部が本体部の後側に突出することを防止できる。また、蓋体の一部が本体部の後側に突出したとしても、その突出量を少なく抑えることができる。したがって、開閉時の蓋体を含む鍵盤楽器の省スペース化を図ることができる。
また、鍵盤楽器の本体部と蓋体とを連結する連結機構の部品点数を少なく抑えた簡単な機構としながらも、蓋体を本体部の上方の範囲内で回動させるようにしたことで、開閉時の蓋体の重心移動を少なく抑えることができる。
【００１０】
またこの場合、第１軸支部（３３）と第３軸支部（４３）は、本体部（２）に対する前後方向の位置を互いに異ならせて配置されており、かつ、第２軸支部（３５）と第４軸支部（４５）は、蓋体（２０）の面に沿ってその前後方向の位置を互いに異ならせて配置されているとよい。この構成によれば、２つの連結具による４点支持構造において、蓋体の後端部が本体部の後方から前方へ移動し、かつ、蓋体が閉位置から開位置へ移動する間に第２軸支部と第４軸支部の軌跡が互いに交差する機構、又は本体部に対する第２軸支部と第４軸支部の上下又は前後の少なくともいずれかの位置関係が逆転する構造、又は蓋体の開閉時に第１軸支部と第２軸支部を最短距離で結ぶ直線と第３軸支部と第４軸支部を最短距離で結ぶ直線とが常に非平行な状態が維持されるような構造を簡単に実現できるようになる。また、連結機構のコンパクト化を図りながら、閉位置と開位置との間での蓋体の移動をよりスムーズに行わせることが可能となる。
【００１１】
また、上記の鍵盤楽器の蓋体開閉構造では、蓋体（２０）が開位置にある状態で、第１連結具（３１）と第２連結具（４１）との少なくともいずれかに当接してその移動を停止させるストッパ部（３７）を備え、開位置における蓋体（２０）は、その後端部（２０ａ）が前端部（２０ｂ）よりも本体部（２）の前側に位置するように傾斜した状態で、該本体部（２）の上面に立設されるようにするとよい。
【００１２】
この構成によれば、蓋体が開位置にある状態で、ストッパ部が第１連結具又は第２連結具に当接してその移動を停止させることで、蓋体を開位置で確実に停止させることができる。したがって、蓋体が開位置で後方に倒れることを防止できる。
【００１３】
またこの場合、蓋体は、その開位置で、後端部が前端部よりも本体部の前側に位置するように傾斜した状態で該本体部の上面に立設されるので、蓋体を開位置で安定的に停止させておくことが可能となる。したがって、開位置の蓋体が不用意に閉位置の方へ移動して閉じてしまうことを防止できる。
【００１４】
また、上記の蓋体開閉構造では、蓋体（２０）の内面（２０ｃ）に軸部（５１ａ）で回転自在に支持されて、蓋体（２０）が閉位置にある状態でパネル面（５５ｂ）に対向するように配設された板状の譜面受け（５１）を備え、蓋体（２０）が閉位置へ移動する際に、譜面受け（５１）の自由端（５１ｂ）がパネル面（５５ｂ）に当接して該譜面受け（５１）が蓋体（２０）の内面（２０ｃ）に沿う位置へ畳まれるようにしてよい。この構成によれば、蓋体の内面に譜面受けを取り付けた構造において、蓋体を閉じる際に譜面受けを自動的に折り畳むことができ、かつ、蓋体を開けることで譜面受けを自動的に受け状態（開状態）とすることができる。またこれにより、譜面受けの軸部（回転部）の蝶番構造として、高価ないわゆるトルク発生型の軸受部品を用いることなく、トルク発生の無い簡単な軸受構造で、譜面受けの開閉を自動的に行わせることができるようになる。
【００１５】
また、上記の蓋体開閉構造では、第１連結具（３１）と第２連結具（４１）の少なくともいずれかと本体部（２）又は蓋体（２０）との間に、蓋体（２０）を開位置へ移動する方向に付勢するような付勢力を生じる弾性部材（６０）を取り付けてもよい。この構成によれば、弾性部材の付勢力によって、蓋体を開位置へ移動させるために必要な力が小さくて済むので、蓋体を開け易くなる。また、鍵盤楽器の開閉動作において蓋体が急激に移動することを防止できるので、蓋体の開閉動作を安定させることができるようになる。また、万一、蓋体と本体部との間に指などを挟んでしまった場合でも、挟まれる力を軽減することができるので、安全性が向上する。
【００１６】
また、上記の鍵盤楽器の蓋体開閉構造では、第１連結具（３１）又は第２連結具（４１）の少なくともいずれかと本体部（２）又は蓋体（２０）との間に、本体部（２）又は蓋体（２０）と第１連結具（３１）又は第２連結具（４１）との相対的な回動に対する抵抗力を発生する抵抗力発生部（３２，４２，７０）を設けてもよい。
【００１７】
この構成によれば、本体部又は蓋体と第１、第２連結具との相対的な回動に対する抵抗力によって、蓋体の開閉動作がゆっくりとしたものとなるので、蓋体と楽器本体との間に指などを挟むことをより効果的に防止できるようになる。また、蓋体の開閉動作において、蓋体が急激に移動することを防止できるので、蓋体の開閉動作を安定させることができる。
なお、上記の括弧内の符号は、後述する実施形態の対応する構成要素の符号を本発明の一例として示したものである。
【発明の効果】
【００１８】
本発明にかかる鍵盤楽器の蓋体開閉構造によれば、開閉時の蓋体が回動する領域を小さな寸法に抑えることで、開閉時の蓋体を含めた鍵盤楽器の省スペース化を図ることができ、かつ、蓋体の開閉操作を行い易くすることができる。
【図面の簡単な説明】
【００１９】
【図１】本発明の第１実施形態にかかる蓋体開閉構造を備えた鍵盤楽器の全体構成例を示す斜視図である。
【図２】第１実施形態にかかる蓋体開閉構造の詳細構成を示す図で、鍵盤楽器における本体部の一方の側部を示す部分拡大斜視図である。
【図３】第１実施形態にかかる蓋体開閉構造の詳細構成を示す図で、鍵盤楽器の側断面図である。
【図４】蓋体が閉位置と開位置との間で移動する際の動作を説明するための図である。
【図５】蓋体の開閉動作に伴う譜面受けの動きを説明するための図である。
【図６】本発明の第２実施形態にかかる蓋体開閉構造の詳細構成を示す図で、鍵盤楽器の側断面図である。
【発明を実施するための形態】
【００２０】
以下、添付図面を参照して本発明の実施形態を詳細に説明する。
〔第１実施形態〕
図１は、本発明の第１実施形態にかかる蓋体開閉構造を備えた鍵盤楽器１の全体構成例を示す斜視図である。また、図２は、第１実施形態にかかる蓋体開閉構造の詳細構成を示す図で、鍵盤楽器１における後述する本体部２の一方の側部を示す部分拡大斜視図である。また、図３は、第１実施形態にかかる蓋体開閉構造の詳細構成を示す図で、鍵盤楽器１の側断面図である。なお、図３（ａ）は、後述する蓋体２０が開位置にある状態を示しており、（ｂ）は、蓋体２０が閉位置にある状態を示している。本実施形態の鍵盤楽器１は、ケース１０と、該ケース１０内に設置された鍵盤５を有する本体部２と、該本体部２のケース１０に取り付けられた蓋体（鍵盤蓋）２０とを備えている。なお、以下の説明では、横方向又は幅方向というときは、鍵盤５の各鍵５ａ，５ｂが配列された左右方向を示し、前又は後というときは、鍵盤５の手前側（演奏者側）又は奥側を示すものとする。
【００２１】
鍵盤５は、横方向に沿って配列された複数の黒鍵５ａと白鍵５ｂとを有している。鍵盤５を収容しているケース１０は、鍵盤５の左右両側それぞれを覆う一対の側板（側壁部）６，６と、鍵盤５の前側を覆う前板７と、後側を覆う後板８と、底側を覆う底板９とで囲まれており、全体が横長の略直方体状に形成されている。ケース１０の上面側は、鍵盤５の上面（演奏面）が露出する開口になっている。そして、蓋体２０は、ケース１０に対して該開口を完全に閉じる閉位置と、該開口を完全に開く開位置との間で移動可能となるように取り付けられている。この蓋体２０は、一対の側板６，６の上端面６ａ，６ａに載置された状態で開口を塞ぐ一枚板状の部材であり、その外形は、ケース１０の外形に沿う横長の長方形状になっている。蓋体２０の内面（下面）２０ｃにおける前端近傍には、前板７の上方で鍵盤５の前面を覆う蓋前（蓋前板）２１が取り付けられている。なお、上記では、側板６，６は、その側面視の形状が方形状であって、上端面６ａ，６ａが本体部２の後方から前方に向かって水平な（ケース１０の底板９と平行な）形状である場合を示したが、これ以外にも、詳細な図示は省略するが、側板６，６は、その側面視の形状が略台形形状であって、その上端面６ａ，６ａが本体部２の後方から前方に向かって下降するように傾斜する傾斜平面状に形成されていてもよい。
【００２２】
また、鍵盤５の両側部を覆う一対の側板６，６それぞれと、それらに対向する蓋体２０の左右両側の端部２０ｄ，２０ｄそれぞれとの間には、本体部２に対して蓋体２０を移動可能に連結してなる連結機構３０が設けられている。本実施形態の鍵盤楽器１では、連結機構３０は、一対の側板６，６それぞれと蓋体２０における鍵５ａ，５ｂの配列方向両側の端部２０ｄ，２０ｄそれぞれとの間に設けられている。各連結機構３０は、互いに共通の構成部品を有しており、互いが対称な形状及び配置構成になっている。連結機構３０は、側板６と蓋体２０の端部２０ｄとの間に取り付けた互いの長さが異なる長尺板状の第１連結具３１と第２連結具４１とを有している。なお、ここでいう蓋体２０の端部２０ｄとは、蓋体２０の幅方向における両側の端面とその近傍の内面２０ｃや外面を含む部分（各図において点線で囲んだ部分及びその近傍）を示すものである。
【００２３】
第１連結具３１と第２連結具４１は、いずれも長尺板状の部材である。第１連結具３１は、その長手方向の本体部２側の端部３１ａが側板６の内側面６ｃに設けた第１軸支部３３に軸支（回動自在に支持されていることをいう、以下同じ。）されており、蓋体２０側の端部３１ｂが、蓋体２０の幅方向の端部２０ｄにおいて該蓋体２０の鍵盤５側を向く内面２０ｃに設けた第２軸支部３５に軸支されている。第２連結具４１は、その本体部２側の端部４１ａが側板６の内側面６ｃにおける第１軸支部３３に隣接する位置に設けた第３軸支部４３に軸支されており、その蓋体２０側の端部４１ｂが、蓋体２０の端部２０ｄの内面２０ｃにおける第２軸支部３５に隣接する位置に設けた第４軸支部４５に軸支されている。
【００２４】
第１軸支部３３と第３軸支部４３は、側板６の内側面６ｃに対して、第１連結具３１の一方の端部３１ａと第２連結具４１の一方の端部４１ａを本体部２の幅方向を軸方向とする回転軸周りで軸支している。また、第２軸支部３５と第４軸支部４５は、蓋体２０の内面２０ｃに対して、第１連結具３１の他方の端部３１ｂと第２連結具４１の他方の端部４１ｂを蓋体２０の幅方向及び面方向を軸方向とする回転軸周りで軸支している。また、第１軸支部３３は、側板６の内側面６ｃに固定したトルク発生型の軸受３２で第１連結具３１の端部３１ａを軸支しており、第３軸支部４３は、側板６の内側面６ｃに固定したトルク発生型の軸受４２で第２連結具４１の端部４１ａを軸支している。トルク発生型の軸受３２，４２については、後述する。また、第２軸支部３５は、蓋体２０の内面２０ｃにネジで固定した取付板３４に設けた支持片３４ａで第１連結具３１の端部３１ｂを軸支しており、第４軸支部４５は、取付板３４に設けた他の支持片３４ｂで第２連結具４１の端部４１ｂを軸支している。
【００２５】
第１連結具３１は、その長手方向が第１軸支部３３から第２軸支部３５に向かって延びる細板状で、第１軸支部３３と第２軸支部３５との中間の部分には、平面内で互いに逆向きに屈曲する２箇所の屈曲部３１ｃ，３１ｄを有している。屈曲部３１ｃ，３１ｄは、いずれも略「く」字型に屈曲している。第１連結具３１は、その面を側板６の内側面６ｃと平行にして、第１軸支部３３に近い側の屈曲部３１ｃの内側を上方及び前方に向けた状態で取り付けられている。また、第１軸支部３３は、第２軸支部３５よりも下側かつ前側（本体部２の下側かつ前側）に配置されている。
【００２６】
第２連結具４１は、その長手方向が第３軸支部４３から第４軸支部４５に向かって延びる細板状で、第３軸支部４３と第４軸支部４５との中間の部分には、平面内で互いに逆向きに屈曲する２箇所の屈曲部４１ｃ，４１ｄを有している。屈曲部４１ｃ，４１ｄは、いずれも略「く」字型に屈曲している。第２連結具４１は、その面を側板６の内側面６ｃと平行にして、第３軸支部４３に近い側の屈曲部４１ｃの内側を上方及び前方に向けた状態で取り付けられている。また、第３軸支部４３は、第４軸支部４５よりも下側かつ前側（本体部２の下側かつ前側）に配置されている。
【００２７】
第１連結具３１と第２連結具４１は、側板６の内側面６ｃに沿って設置されており、それらが本体部２の横方向に並べて配置されている。本実施形態では、第２連結具４１が外側（内側面６ｃに近い側）に設置されており、第１連結具３１が内側（内側面６ｃから離れた側）に配置されている。そして、第１軸支部３３と第３軸支部４３は、側板６の内側面６ｃにおいて、鍵盤５の演奏面（鍵５ａ，５ｂの長手方向）及び本体部２の上面と略平行な面内で、前後方向に並べて配置されている。本実施形態では、第１軸支部３３が前側で第３軸支部４３が後側に配置されている。また、第２軸支部３５と第４軸支部４５は、蓋体２０の内面２０ｃに沿う面内で、蓋体２０の前端部２０ｂから後端部２０ａに向かう方向（前後方向）に沿って並べて設置されている。本実施形態では、第２軸支部３５が前側（前端部２０ｂに近い側）で、第４軸支部４５が後側（後端部２０ａに近い側）に配置されている。そして、第１軸支部３３及び第３軸支部４３は、本体部２に対する相対位置が固定された固定側の回動支点であり、第２軸支部３５及び第４軸支部４５は、本体部２に対して相対的に変位可能な移動側の回動支点である。なお、上述した鍵盤５の演奏面とは、演奏者が指で触れる鍵５ａ、５ｂの上面側を含む概略の水平面を指すものであって、鍵盤５の態様によっては、鍵５ａ，５ｂの上面が本体部２の前後方向で若干傾斜している場合もあるが、そのような場合においても鍵盤５の上面側を含む概略の水平面を指すものとする。
【００２８】
また、第１軸支部３３に設置したトルク発生型の軸受３２と、第３軸支部４３に設置したトルク発生型の軸受４２とは、それらの詳細な図示及び構造の説明は省略するが、例えば、内部に作動油が充填された筒状のハウジングと、該ハウジング内に回転自在に嵌合する回転部材とを備えて構成され、作動油の油圧による摺動抵抗によって回転部材の回転に対する制動力が作用するように構成された回転ダンパ機構（オイルダンパ機構）を用いることができる。このような回転ダンパ機構からなるトルク発生型の軸受３２，４２として、例えば、特開２００１−３４９３６４号公報や特開２００８−１８５２１５号公報などに開示された構造の軸受を用いることが可能である。なお、上記のトルク発生型の軸受３２，４２は、本体部２又は蓋体２０と第１、第２連結具３１，４１との相対的な回動に対する抵抗力を発生する抵抗力発生部として機能する部品である。
【００２９】
軸受３２，４２は、上記のオイルダンパ機構に代えて、軸回りに設置した複数の樹脂部品の摺動により摩擦力を発生する回転ダンパ機構（回転摩擦機構）であってもよい。そして、この回転摩擦機構は、一方への回転においてのみ大きな摩擦力を発生し、なおかつ、回転速度が大きければ大きい程、大きな摩擦力を発生するダンパ機構（これを「ワンウェイクラッチ機構」）ともいう。）を用いてよい。そして、このようなダンパ機構を用いる場合は、蓋体２０を開位置から閉位置へ向けて移動させる方向で大きな摩擦力を発生するように設置すれば、閉位置へ移動する蓋体２０の動きがゆっくりとしたものになるので、蓋体２０を閉じる際に蓋体２０と側板６の上端面６ａとの間に指などを挟むおそれを低減できる。
【００３０】
また、蓋体２０の内面２０ｃには、譜面受け５１が取り付けられている。譜面受け５１は、細板状の部材からなり、蓋体２０の後端部２０ａの内面２０ｃにおいて、幅方向の中央に取り付けられている。譜面受け５１は、蓋体２０側の端辺が蓋体２０の内面２０ｃに対して軸部５１ａで回動自在に支持されている。軸部５１ａは、本体部２の横方向（幅方向）に延びる軸を中心に譜面受け５１を回転自在に支持している。これにより、譜面受け５１は、軸部５１ａを中心にその面が蓋体２０の内面２０ｃに沿うように畳まれた閉位置と、その面が蓋体２０の内面２０ｃに対して略直交するように開かれた開位置との間で回動自在になっている。
【００３１】
一方、本体部２のケース１０内における鍵盤５の後側（黒鍵５ａ及び白鍵５ｂの見え懸かり部の後側）には、板状のパネル部材５５が設置されている。また、パネル部材５５の後端とケース１０の後板８の上端との間には、これらの隙間を塞ぐための隠し板５６が取り付けられている。パネル部材５５は、鍵盤５の後側の上面を覆うパネル面５５ｂを有している。パネル面５５ｂは、本体部２の前後方向で若干湾曲しながら傾斜する傾斜湾曲面状であり、蓋体２０の内面２０ｃに取り付けた譜面受け５１に対応する部分に配置されている。そして、後述するように、蓋体２０が鍵盤５の上面側を閉じる閉位置へ移動する際、譜面受け５１の先端部（自由端）５１ｂがパネル面５５ｂに当接することで、譜面受け５１が自動的に折り畳まれるようになっている。
【００３２】
また、図１及び図２に示すように、パネル部材５５は、その幅方向の両端部が側板６，６の内側面６ｃ，６ｃに固定されている。そして、パネル部材５５の両端部には、側板６の内側面６ｃとの間に第１連結具３１及び第２連結具４１を挿通させるための切込部５５ｃが形成されている。これにより、第１連結具３１及び第２連結具４１は、切込部５５ｃを介してパネル部材５５の下側から上方に突出し、それらの先の端部３１ｂ，４１ｂが蓋体２０の内面２０ｃに連結されている。
【００３３】
また、蓋体２０が開位置にある状態で、第１連結具３１及び第２連結具４１の移動を停止させるためのストッパ部３７が設けられている。ストッパ部３７は、パネル部材５５の切込部５５ｃの前端部（前端辺）に設けた第１連結具３１及び第２連結具４１の端辺を当接させる係止部３７ａを備えている。係止部３７ａは、蓋体２０が完全に開いた開位置で第１連結具３１の屈曲部３１ｃの内端辺及び第２連結具３１の屈曲部４１ｃの内端辺に当接することで、第１軸支部３３を中心とする第１連結具３１の回動と第３軸支部４３を中心とする第２連結具４１の回動とをその位置で規制する（停止させる）ようになっている。
【００３４】
図４は、蓋体２０が閉位置と開位置との間で移動する際の各部の動作を説明するための図である。なお、図４では、第１、第２連結具３１，４１の両端を軸支する第１乃至第４軸支部３３，３５，４３，４５など、蓋体２０の開閉動作に関連する主要な部分のみを模式的に示している。また、同図では、開位置と閉位置との間で移動する蓋体２０及び第１乃至第４軸支部３３，３５，４３，４５の軌跡を連続的に示している。以下、図４及び先の図２及び図３を用いて、蓋体２０の開閉に伴う各部の動作について説明する。まず、図４における（Ａ）の状態で、蓋体２０がケース１０における鍵盤５の上方を完全に閉じた閉位置にある。この状態では、蓋体２０の両端部２０ｄ，２０ｄの内面２０ｃが側板６，６の上端面６ａ，６ａに載置されている。この状態から蓋体２０の前端部２０ｂを上方に持ち上げると、図４（Ｂ）→（Ｉ）の順で蓋体２０が回動して、ケース１０における鍵盤５の上方が開かれてゆく。このとき、第１軸支部３３を支点に第２軸支部３５が前側及び上側に向かって回動し、かつ第３軸支部４３を支点に第４軸支部４５が前側及び上側に向かって回動すると共に、蓋体２０の後端部２０ａが本体部２の後方から前方に向かって移動する。
【００３５】
上記の動作によって蓋体２０が閉位置から開位置へ移動することで、蓋体２０は、本体部の上面側の領域で、後端部２０ａに近い位置を支点として前端部２０ｂが前部下方から後部上方へ持ち上がるように回動する。そして、最終的には、図３に示す第１連結具３１と第２連結具４１がストッパ部３７（係止部３７ａ）に当接する位置で、第１、第２連結具３１，４１及び蓋体２０の動作が停止する。この位置で、図４の（Ｊ）に示すように、蓋体２０が完全に開かれた開位置となる。この開位置では、本体部２の上面側に立設された蓋体２０は、その後端部２０ａが前端部２０ｂよりも若干前側に位置しており、その内面２０ｃが下から上に向かって若干後方に傾斜した状態となっている。なお、この開位置では、蓋体２０の前端部２０ｂは、本体部２の後端と同位置かそれよりも手前側の位置におさまっており、本体部２の後側には突出していない。
【００３６】
一方、図４の（Ｊ）に示す開位置にある蓋体２０の前端部２０ｂを手前側に引くと、蓋体２０が閉位置に向かって移動する。この場合は、上記とは逆に、図４（Ｉ）→（Ｂ）の順で蓋体２０が回動して、ケース１０における鍵盤５の上方が閉じられてゆく。このとき、蓋体２０は、後端部２０ａに近い位置を支点として前端部２０ｂが後部上方から前部下方に向かって回動する。また、蓋体２０の後端部２０ａが前方から後方へ移動する。そして、最終的には、図４の（Ａ）に示すように、蓋体２０の両端部２０ｄ，２０ｄの内面２０ｃが側板６，６の上端面６ａ，６ａに載置された状態で、蓋体２０が鍵盤５の上方を完全に閉じた閉位置となる。
【００３７】
上記のような蓋体２０の開閉動作において、第２軸支部３５が移動する軌跡Ｒ１は、第１軸支部３３を支点として第１軸支部３３と第２軸支部３５との間を最短距離で結ぶ直線Ｌ１を半径とする円弧状の軌跡となる。また、第４軸支部４５が移動する軌跡Ｒ２は、第３軸支部４３を支点として第３軸支部４３と第４軸支部４５の間を最短距離で結ぶ直線Ｌ２を半径とする円弧状の軌跡となる。そして、蓋体２０が閉位置から開位置へ移動する途中で、第２軸支部３５の軌跡Ｒ１と第４軸支部４５の軌跡Ｒ２とが互いに交差するようになっている。また、蓋体２０が閉位置から開位置へ移動する間に、本体部２に対する第２軸支部３５と第４軸支部４５との上下の位置関係と前後の位置関係がいずれも逆転するようになっている。さらに、蓋体２０が閉位置から開位置へ移動する間に、第１軸支部３３と第２軸支部３５を結ぶ直線Ｌ１と、第３軸支部４３と第４軸支部４５を結ぶ直線Ｌ２とが常に非平行な状態となるように設定されている。
【００３８】
次に、蓋体２０の開閉動作に伴う譜面受け５１の動きについて説明する。図５は、譜面受け５１の動きを説明するための図である。本実施形態の鍵盤楽器１では、先の図３（ｂ）に示すように、譜面受け５１は、蓋体２０が閉位置にある状態でパネル面５５ｂに対向するように配設されている。そして、図５（ａ）乃至（ｄ）に示すように、蓋体２０が閉位置へ移動する際に、譜面受け５１の先端部（自由端）５１ｂがパネル面５５ｂに当接して、譜面受け５１が蓋体２０の内面２０ｃに沿う位置へ自動的に畳まれるようになっている。このように構成したことで、万一、蓋体２０を閉じる際に譜面受け５１を畳み忘れていても、譜面受け５１が引っ掛かることで蓋体２０を閉じることができないという不具合が生じずに済む。
【００３９】
すなわち、本実施形態の蓋体開閉構造では、第１連結具３１と第２連結具４１による４点リンク支持型の連結機構３０を備えたことで、開位置から閉位置へ回動する蓋体２０が、本体部２の上部の領域内で、その後端部２０ａよりも前端部２０ｂ側に近い位置を支点として回動するようになっている。これにより、図５（ａ）乃至（ｄ）に示すように、閉位置直前の蓋体２０の内面２０ｃは、鍵盤５の演奏面（及び鍵５ａ，５ｂの長手方向）と略平行なパネル面５５ｂに対して後側上方から斜め下方に向かって接近するのではなく、ほぼ真上位置から覆い被さるような姿勢で接近するようになっている。この構成により、蓋体２０が閉位置の直前にあるときに、蓋体２０の内面２０ｃに取り付けた譜面受け５１の先端部５１ｂをパネル面５５ｂに当接させて譜面受け５１を回動させることがより確実に行えるようになる。したがって、蓋体２０を閉位置へ移動させることで、譜面受け５１を自動的に畳むことが可能となる。また、鍵盤５の後側に設けたパネル面５５ｂを用いて譜面受け５１を畳むようにしたので、蓋体２０を閉じる際に譜面受け５１を自動的に畳む構造を備えていても、鍵盤楽器１の部品点数の増加や構造の複雑化につながらずに済む。さらに、譜面受け５１の軸部５１ａの蝶番構造として、高価ないわゆるトルク発生型の軸受部品を用いることなく、トルク発生の無い簡単な軸受構造で、譜面受け５１の開閉を自動的に行わせることができるようになる。
【００４０】
以上説明したように、本実施形態の蓋体開閉構造では、蓋体２０を本体部２に対して第１、第２連結具３１，４１による４点支持構造（いわゆる回り対偶による４節リンク支持構造）で連結したことで、本体部２の上方の狭い範囲内で板状の蓋体２０の面を回動させて、ケース１０の上面側を開閉することが可能となる。これにより、従来の蓋体開閉構造と比べて、蓋体２０が回動する領域を小さな寸法とすることができるので、開閉時に蓋体２０の一部が本体部２の後側に突出することを防止できる。また、蓋体２０の一部が本体部２の後側に突出したとしても、その突出量を少なく抑えることができる。したがって、開閉時の蓋体２０を含む鍵盤楽器１の省スペース化を図ることができる。
また、鍵盤楽器１の本体部２と蓋体２０とを連結する連結機構３０の部品点数を少なく抑えた簡単な機構としながらも、蓋体２０を本体部２の上方の範囲内で回動させるようにしたことで、開閉時の蓋体２０の重心移動を少なく抑えることができる。したがって、蓋体２０の開閉操作が行い易くなる。
【００４１】
また、本実施形態の連結機構３０では、第１軸支部３３と第３軸支部４３は、本体部２に対する前後方向の位置を互いに異ならせて配置し、かつ、第２軸支部３５と第４軸支部４５は、蓋体２０の面に沿ってその前後方向の位置を互いに異ならせて配置している。これにより、２つの連結具３１，４１による４点支持構造において、蓋体２０の後端部２０ａが本体部２の後方から前方へ移動し、かつ、蓋体２０が閉位置から開位置へ移動する間に第２軸支部３５の軌跡Ｒ１と第４軸支部４５の軌跡Ｒ２とが互いに交差する機構を簡単な構成で実現している。また、連結機構３０のコンパクト化を図りながら、閉位置と開位置との間での蓋体２０の移動をよりスムーズに行わせることを可能としている。
【００４２】
また、本実施形態の蓋体開閉構造では、蓋体２０が開位置にある状態で、ストッパ部３７が第１連結具３１と第２連結具４１に当接してそれらの移動を停止させることで、蓋体２０を開位置で確実に停止させることができる。したがって、蓋体２０が開位置で後方に倒れることを防止できる。また、蓋体２０は、その開位置で、後端部２０ａが前端部２０ｂよりも本体部２の前側に位置するように傾斜した状態で該本体部２の上面に立設されるので、蓋体２０を開位置で安定的に停止させておくことが可能となる。したがって、開位置の蓋体２０が不用意に閉位置の方へ移動して閉じてしまうことを防止できる。
【００４３】
また、本実施形態の蓋体開閉構造では、第１軸支部３３と第３軸支部４３に、本体部２と第１連結具３１及び第２連結具４１との相対的な回動に対する抵抗力を発生する抵抗力発生部として、トルク発生型の軸受３２，４２を設けている。これにより、本体部２と第１連結具３１及び第２連結具４１との相対的な回動に対する抵抗力によって、蓋体２０の開閉動作がゆっくりとしたものとなるので、蓋体２０と本体部２との間に指などを挟むことを効果的に防止できるようになる。また、蓋体２０の開閉動作において、蓋体２０が急激に移動することを防止できるので、蓋体２０の開閉動作を安定させることができる。なお、本実施形態では、第１軸支部３３と第３軸支部４３に抵抗力発生部としての軸受３２，４２を設けた場合を示したが、これらはいずれか一方のみを設けるようにしてもよい。さらにこれ以外にも、図示及び詳細な説明は省略するが、第１軸支部３３と第３軸支部４３の軸受３２，４２に代えて、第２軸支部３５と第４軸支部４５の少なくともいずれかにトルク発生型の軸受を設置することも可能である。
【００４４】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。
【００４５】
図６は、本発明の第２実施形態にかかる蓋体開閉構造の詳細構成を示す図で、鍵盤楽器１−２の側断面図である。本実施形態の蓋体開閉構造では、第１連結具３１と本体部２との間に、第１連結具３１に対して蓋体２０を開位置へ移動する方向に付勢するような付勢力を生じるコイルバネ（弾性部材）６０を取り付けている。コイルバネ６０は、その一方の端部６０ａが第１連結具３１に取り付けられており、他方の端部６０ｂが側板６の内側面６ｃに取り付けられている。これにより、コイルバネ６０は、本体部２と連結具３１との間に張設されている。具体的には、本実施形態の第１軸支部３３は、第１連結具３１の本体部２側の端部３１ａよりも手前側（第２軸支部３５に近い側）に設けられており、第１連結具３１の端部３１ａは、第１軸支部３３から離れた位置にある。そして、コイルバネ６０の端部６０ａは、第１連結具３１の端部３１ａに取り付けられている。また、コイルバネ６０の第１連結具３１側の端部６０ａは、本体部２側の端部６０ｂよりも本体部２の前側の位置に固定されている、そして、コイルバネ６０の引張力で蓋体２０を開位置へ移動する方向に第１連結具３１が付勢されるようになっている。
【００４６】
本実施形態の蓋体開閉構造では、蓋体２０が閉位置から開位置へ移動する際と、開位置から閉位置へ移動する際との両方において、コイルバネ６０の引張力で蓋体２０が開位置に向かう方向へ第１連結具３１が付勢される。これにより、トルク発生型の軸受３２，４２による作用と相まって、本体部２と第１連結具３１との間及び蓋体２０と第１連結具３１との間の相対的な回動に対する抵抗力が生じることで、蓋体２０の開閉動作がゆっくりとしたものになる。したがって、蓋体２０と本体部２との間に指などを挟むことをより効果的に防止できるようになる。また、万一、蓋体２０と本体部２との間に指などを挟んだ場合でも、挟まれる力を軽減できるようになる。さらに、蓋体２０の開閉動作において、蓋体２０が急激に移動することを防止できるので、蓋体２０の開閉動作をより安定させることができる。
【００４７】
なお、コイルバネ６０の第１連結具３１に対する取付位置は、第１連結具３１における第１軸支部３３及び第２軸支部３５以外の位置で、かつ、蓋体２０を開位置へ移動する方向に付勢するような付勢力を生じる位置あれば、上記以外の位置であってもよい。また、本実施形態では、コイルバネ６０を第１連結具３１に取り付けた場合を示したが、蓋体２０を開方向へ移動させるような付勢力を生じるためのコイルバネは、上記以外にも、第２連結具４１と本体部２との間に取り付けることも可能である。
【００４８】
また、本実施形態の蓋体開閉構造では、蓋体２０の移動に対する抵抗力を発生するための抵抗力発生部として、さらに、第１連結具３１と本体部２との間に設けた摩擦発生機構７０を備えている。摩擦発生機構７０は、側板６の内側面６ｃに取り付けた本体部２の前後方向に沿ってスライド移動するスライド部材７１と、該スライド部材７１と第１連結具３１における屈曲部３１ｃの近傍の側面とを回動自在に連結（リンク結合）してなるリンク部材７２とを備えて構成されている。そして、スライド部材７１は、前後方向へのスライド移動に伴って適宜の摩擦力を生じるように構成されている。これにより、蓋体２０の開閉時に第１連結具３１が移動することでスライド部材７１が前後にスライド移動して、第１連結具３１の移動に対する抵抗力を発生させるようになっている。
【００４９】
そして、上記の摩擦発生機構７０では、蓋体２０の開位置及び閉位置とそれらの近傍に対応する位置で、第１連結具３１の移動に対する大きな摩擦力が発生するように構成するとよい。このような摩擦発生機構７０からなる抵抗力発生部によれば、蓋体２０の開閉時に操作者に大きな負荷が掛かる開位置及び閉位置とそれらの近傍で、蓋体２０の移動に対する抵抗力を発生させることが可能となる。したがって、蓋体２０の開閉時に操作者にかかる負荷を効果的に低減することができる。また、蓋体２０の開閉動作をより少ない力でスムーズに行えるようになる。また、蓋体２０と本体部２との隙間に指などを挟むことをさらに効果的に防止できると共に、万一、指などを挟んだ場合でも、挟まれる力を軽減できるようになる。なお、上記の摩擦発生機構７０からなる抵抗発生部を備えていれば、トルク発生型の軸受３２，４２は、それらの設置を省略することも可能である。
【００５０】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、蓋体開閉構造を適用した鍵盤楽器１として、卓上型の鍵盤楽器を示したが、本発明にかかる蓋体開閉構造は、卓上型の鍵盤楽器以外にも、脚部を備えた自立型（大型）の鍵盤楽器などに適用することも可能である。
【００５１】
また、上記の各実施形態では、蓋板２０の幅方向の端部２０ｄに設けた第２軸支部３５及び第４軸支部４５は、蓋板２０の内面２０ｃにおける後端部２０ａ側に配置されている場合を示したが、第２軸支部３５及び第４軸支部４５は、蓋板２０の幅方向（鍵５ａ，５ｂの配列方向）の端部２０ｄに設けてさえいれば、上記実施形態に示す以外の場所に配置することも可能である。例えば、蓋板２０の内面２０ｃにおける後端部２０ａと前端部２０ｂの中間位置や、蓋板２０の幅方向の端面における後端部２０ａ、又は後端部２０ａと前端部２０ｂの中間位置などに設けてもよい。
【００５２】
また、上記の各実施形態では、閉位置にある蓋板２０の両端部（幅方向の両端部）２０ｄ，２０ｄの内面２０ｃが側板６の上端面６ａに載置されるように構成した場合を示したが、これ以外にも、図示は省略するが、側板６の内側面６ａに蓋止用の他の部材を取り付けておき、閉位置にある蓋板２０の両端部（幅方向の両端部）２０ｄ，２０ｄの内面２０ｃが、この蓋止用の部材の上端面に載置されるように構成してもよい。この場合、側板６の内側面６ａに取り付ける蓋止用の部材は、その上端面が側板６の上端面６ａと平行かつ側板６の上端面６ａに対して蓋板２０の厚さ寸法分だけ低い位置となるように取り付けておけば、閉位置の蓋板２０の外面（上面）と側板６の上端面６ａとを同一の高さ位置で連続する一の面内に配置することができる。これにより、蓋板２０を閉じた状態の鍵盤楽器の外観を良好にすることができる。
【００５３】
また、上記の各実施形態では、第２軸支部３５と第４軸支部４５を支持するための取付板３４が、蓋板２０の端部２０ｄの内面２０ｃに取り付けられている場合を示したが、これ以外にも図示は省略するが、上記の取付板３４に代わる他の取付板を蓋板２０の内面２０ｃではなく幅方向（鍵の配列方向）の端面（外側面）に取り付けるようにしてもよい。その場合は、蓋板２０の幅方向の端面とそれに対向する側板６の内側面６ｃとの隙間に上記の取付板がおさまるように構成する。あるいは、蓋板２０の幅方向の端面を若干窪ませておき、その部分に上記の取付板を固定すれば、閉位置の蓋板２０及び側板６に上記の取付板が干渉せずに済む。また、蓋板２０の幅方向の端面に、蓋板２０の外面側（上面側）よりも内面側（下面側）の方が一段内側（幅方向の内側）に下がった位置となるような段部を形成しておき、当該段部の下がった位置に取付板を取り付けるようにすれば、蓋板２０を閉じた状態で、取付板の端部（端辺）が蓋板２０の外面（上面）側に露出せずに済むので、蓋板２０を閉じた状態の鍵盤楽器の外観を良好にすることができる。
【符号の説明】
【００５４】
１・・・鍵盤楽器、２・・・本体部、５・・・鍵盤、６・・・側板、６ｃ・・・内側面、１０・・・ケース、２０・・・蓋体、２０ａ・・・後端部、２０ｂ・・・前端部、２０ｃ・・・内面（鍵盤５側の面）、２０ｄ・・・端部（鍵の配列方向の端部）、３０・・・連結機構、３１・・・第１連結具、３３・・・第１軸支部、３５・・・第２軸支部、３７・・・ストッパ部、４１・・・第２連結具、４３・・・第３軸支部、４５・・・第４軸支部、５１・・・譜面受け、５５・・・パネル部材、５５ｂ・・・パネル面、６０・・・コイルバネ（弾性部材）７０・・・摩擦発生機構
【図１】
0005870521.tif 000002
【図２】
0005870521.tif 000003
【図３】
0005870521.tif 000004
【図４】
0005870521.tif 000005
【図５】
0005870521.tif 000006
【図６】
0005870521.tif 000007